(57)【要約】【課題】塗り薬を簡易に取り付けることができる孫の手及びこの孫の手を用いて手の届かない背中などに塗り薬を塗ることが容易に可能で簡易な構成の塗り薬付孫の手を提供する。【解決手段】塗り薬付孫の手１００は、把持部１１とアーム部１２を有する孫の手１０を用いて薬剤の入った円筒状の容器の頭部に塗布面を有する塗り薬Ｎを背中に塗ることができるものである。アーム部１２の円形状の内部に薬剤の入った円筒状の容器の頭部に塗布面を有する塗り薬Ｎが嵌め込まれた状態で、簡易に塗り薬Ｎを背中に当接することができ、薬剤を背中の患部に適切に塗ることができる。また、孫の手１０は、孫の手として用いることができ、さらに塗り薬Ｎを取り付けることで塗り薬付孫の手１００として用いることができ、この塗り薬Ｎを塗り薬支え部１２ａに瞬時に取り付けることができ瞬時に取り外すことができる優れたものである。【選択図】図１
0003225223.tif 000002
【実用新案登録請求の範囲】
【請求項１】
手で把持するように形成されている把持部と、前記把持部の先端に一体的になるように取り付けられているアーム部を有する孫の手であって、
前記把持部は、筒状の柔軟性を有する部材の内部に金属のパイプが嵌め込まれており、
前記アーム部は、ワイヤー状の金属で形成されており、薬剤の入った円筒状の容器の頭部に塗布面を有する塗り薬が、嵌め込まれるように円形状に形成されている塗り薬支え部を有しており、
前記アーム部は、突起部を有しており、前記突起部で背中を掻くように形成されていることを特徴とする孫の手。
【請求項２】
前記柔軟性を有する部材はゴムであり、前記ワイヤー状の金属はステンレスであることを特徴とする請求項1に記載の孫の手。
【請求項３】
請求項１または請求項２に記載の把持部とアーム部を有する孫の手を用いて薬剤の入った円筒状の容器の頭部に塗布面を有する塗り薬を背中に塗るように形成されている塗り薬付孫の手であって、
前記アーム部の円形状の内部に薬剤の入った円筒状の容器の頭部に塗布面を有する塗り薬が嵌め込まれた状態で、前記薬剤の入った円筒状の容器の頭部に塗布面を有する塗り薬を背中に当接し塗るように形成されていることを特徴とする塗り薬付孫の手。
【請求項４】
前記塗り薬が、前記アーム部に瞬時に取り付けられるように形成されており、且つ、瞬時に取り外せるように形成されていることを特徴とする請求項３に記載の塗り薬付孫の手。
【考案の詳細な説明】
【技術分野】
【０００１】
本考案は、孫の手及び塗り薬付孫の手に関する。
【背景技術】
【０００２】
従来、例えば割り竹を平たくしこの割り竹の先端を小さな孫の手のように加工した孫の手といわれるものが普及している。また、鎮痛消炎剤としての塗り薬、例えば、ケースに押出可能に収容された固形のものであり、このような塗り薬を背中の患部に塗布する際には、ケースから塗り薬の先端部を押し出し、その状態でケースを自分の手で把持し、腕を背後へ廻してケースから突出した塗り薬を患部に擦りつけるものが普及している。
【考案の概要】
【考案が解決しようとする課題】
【０００３】
上記の手が届かない肩や背中などへの塗り薬の塗り付けは、なかなか正確な位置に塗ることが困難であり、人の手を借りることが多く、着衣の中の塗り付けが困難であり、他人に塗ってもらう場合も脱衣または脱衣に近い状態にならなければならず面倒である。すなわち、塗り薬として容器に収容された液体や固形のものが使用されており、このような塗り薬を患部に塗る場合には、手の届かない背中の患部に塗る場合において他人に依頼しなければならないという問題があった。
【０００４】
本考案は、こうした点に鑑みてなされたものであり、塗り薬を簡易に取り付けることができる孫の手及びこの孫の手を用いて手の届かない背中などに塗り薬を塗ることが容易に可能で簡易な構成の塗り薬付孫の手を提供するものである。
【課題を解決するための手段】
【０００５】
上記課題を解決するために、本考案に係る孫の手は、手で把持するように形成されている把持部と、前記把持部の先端に一体的になるように取り付けられているアーム部を有する孫の手であって、前記把持部は、筒状の柔軟性を有する部材の内部に金属のパイプが嵌め込まれており、前記アーム部は、ワイヤー状の金属で形成されており、薬剤の入った円筒状の容器の頭部に塗布面を有する塗り薬が、嵌め込まれるように円形状に形成されている塗り薬支え部を有しており、前記アーム部は、突起部を有しており、前記突起部で背中を掻くように形成されていることを特徴とする。
【０００６】
本考案に係る孫の手の態様について、前記柔軟性を有する部材はゴムであり、前記ワイヤー状の金属はステンレスであることが好ましい。
【０００７】
上記課題を解決するために、本考案に係る塗り薬付孫の手は、上記の把持部とアーム部を有する孫の手を用いて薬剤の入った円筒状の容器の頭部に塗布面を有する塗り薬を背中に塗るように形成されている塗り薬付孫の手であって、前記アーム部の円形状の内部に薬剤の入った円筒状の容器の頭部に塗布面を有する塗り薬が嵌め込まれた状態で、前記薬剤の入った円筒状の容器の頭部に塗布面を有する塗り薬を背中に当接し塗るように形成されていることを特徴とする。
【０００８】
本考案に係る塗り薬付孫の手の態様について、前記塗り薬が、前記アーム部に瞬時に取り付けられるように形成されており、且つ、瞬時に取り外せるように形成されていることが好ましい。
【考案の効果】
【０００９】
本考案によれば、塗り薬を簡易に取り付けることができる孫の手及びこの孫の手を用いて手の届かない背中などに塗り薬を塗ることが容易に可能で簡易な構成の塗り薬付孫の手を提供することができる。
【図面の簡単な説明】
【００１０】
【図１】実施形態の孫の手及び塗り薬付孫の手の一例を示す模式図である。
【考案を実施するための形態】
【００１１】
以下、本考案の孫の手及び塗り薬付孫の手の実施形態を、図１を用いて説明する。
【００１２】
孫の手１０は、手で把持するように形成されている把持部１１と、把持部１１の先端に一体的になるように取り付けられているアーム部１２を有している。把持部１１は、筒状の柔軟性を有する部材の内部に金属のパイプが嵌め込まれている。柔軟性を有する部材は、例えばゴムであるが、これに限定されず適宜最適なものを選択すればよい。
【００１３】
アーム部１２は、ワイヤー状の金属で形成されており、薬剤の入った円筒状の容器の頭部に塗布面を有する塗り薬Ｎが、嵌め込まれるように円形状に形成されており、塗り薬支え部１２ａと突起部１２ｂを有している。ワイヤー状の金属は、例えばステンレスであるが、これに限定されず適宜最適なものを選択すればよい。
【００１４】
塗り薬支え部１２ａは、後述するとおり、塗り薬Ｎが、瞬時に取り付けられ、且つ、瞬時に取り外されるように形成されており、また、突起部１２ｂは、孫の手として背中を掻くように設けられているものである。
【００１５】
上記の構成を有する孫の手１０を用いた塗り薬付孫の手１００について説明する。塗り薬付孫の手１００は、把持部１１とアーム部１２を有する孫の手１０を用いて薬剤の入った円筒状の容器の頭部に塗布面を有する塗り薬Ｎを背中にぬることができるように形成されているものである。
【００１６】
すなわち、塗り薬付孫の手１００は、アーム部１２の円形状の内部に薬剤の入った円筒状の容器の頭部に塗布面を有する塗り薬Ｎが嵌め込まれた状態で、簡易に塗り薬Ｎを背中に当接することができ、そして薬剤を背中の患部に適切に塗ることができる優れたものである。
【００１７】
このような特徴を有する塗り薬付孫の手１００は、さらなる特徴として、孫の手として用いることができる孫の手１０において、塗り薬Ｎを、アーム部１２の塗り薬支え部１２ａに瞬時に取り付けることができ、且つ、この塗り薬Ｎを塗り薬支え部１２ａから瞬時に取り外すことができるものである。
【００１８】
以上、本考案の孫の手及び塗り薬付孫の手について説明したが、本考案の孫の手及び塗り薬付孫の手の経緯について説明する。日常において、足腰が悪く、病院、リハビリテーションセンターに通う都度、塗り薬を使用しており、この塗り薬を塗る手伝いをしている過程で何か良い方法はないものかと考えた結果が本考案である。誰しも筋肉痛及び関節痛があるが、それも年齢と共につらくなり、例えば塗り薬などを使用する場合において、身体の前面は自分で処理できるが、背面は他人に頼るしかないという問題があり、そこで本考案の孫の手及び塗り薬付孫の手を開発したというのが経緯である。
【００１９】
以下、本考案の特徴を列記する。他人に頼らずに、背面（背中、腰）でも自分で塗り薬を簡単に塗ることができる。塗り薬を装着した状態で、塗り薬の頭部で肩叩きなどができる。また、孫の手の突起状の箇所で、背中の痒い場所等をかくことができる。
【００２０】
また、試作品について説明する。材料針金はアルミニュウム線を使用しているが、鉄の針金は強く、鉄線は固く、加工が困難でありアルミニュウムを用いて試作したが材料が柔らかく、ペンチでの傷が少し付いているが、見た目において鉄線より柔らかく感じられるが、鉄線またはステンレスが好ましいと考えられる。頭部（塗り薬を把持する部分である頭部）は、曲線状であるが、直線よりは曲線状の方が針金の強度が増すということと、曲線の方が塗り薬との接点が増すであろうと考えられる。頭部の円の直径は、使用しているメーカーの塗り薬の径に合わせてあるが、各メーカーの商品の径に合わせて作れば良いと考えている。
【００２１】
把持部は、試作品として、やや持ち易くする為に太く柔らかい例えば長さ５０ｃｍのゴムホースを使用しており、このホースの中に金属のパイプを入れて強度を保っているものであるが、試作品ではなく正規な商品としては、適宜最適なものにすればよいと考える。また、最近は、塗り薬も伸縮性の製品がテレビ等で宣伝されているが、設備費等で費用もかかり、製品単価も従来のものよりは高くなっており、本考案の孫の手及び塗り薬付孫の手を使用すれば、一度の購入で長期的な使用が可能となり、経済的な面でも貢献できるものである。
【００２２】
上記のとおり、本考案の有する特徴及び優れた点を上記実施形態に記載したが、本考案は、本願の実用新案登録請求の範囲で使用されている言葉を広く一般的な意味に拡張して実施することができる。
【００２３】
また、本考案の孫の手及び塗り薬付孫の手は、大きさや形状、素材の種類などについては多様な実施形態が可能であり、それらについて本実施形態と異なる形態による実施は、本考案の技術的範囲に含まれる。
【符号の説明】
【００２４】
１００  塗り薬付孫の手
１０    孫の手
１１    把持部
１２    アーム部
１２ａ  塗り薬支え部
１２ｂ  突起部
Ｎ      塗り薬
【図１】
0003225223.tif 000003